(57)【要約】【課題】バッグを持ち歩いている場合に、携帯電話等の小物を容易かつ迅速に取り出すことができる携行用小物入れを提供する。【解決手段】バッグの肩掛け用の帯状体(Ｂ)の一部に、巻付けにより固定可能かつ巻き外しにより取外し可能な巻付け台(１)と、  上記巻付け台(１)の上面側に重合されて長手方向の両側端部を縫代部(１０ａ、１０ａ)とする保形台(１０)と、上記保形台(１０)を跨いで下端部が上記縫代部(１０ａ、１０ａ)に縫付けられることにより両端面開口のチューブ状に形成され、かつジッパーファスナー(２３)により閉鎖可能な開口部(２２)を有する伸縮自在な収納袋形成体(２０)と、上記巻付け台(１)の全周縁を挟むように覆うことで上記収納袋形成体(２０)の両端部を上記巻付け台(１)へ縫い付けることにより、上記収納袋形成体(２０)の両端開口を偏平状に閉塞させて収納袋体(２０Ａ)に形成する枠状バインダ材(３０)とを設けた。【選択図】  図９
2013090749.tif 000002
【特許請求の範囲】
【請求項１】
肩掛け又は手提げにより携行可能なバッグの肩掛け用又は手提げ用の帯状体(Ｂ)の一部に、巻付けにより固定可能かつ巻き外しにより取外し可能な巻付け台(１)と、
上記巻付け台(１)の上面側に重合されて長手方向の両側端部を縫代部(１０ａ、１０ａ)とする保形台(１０)と、
上記保形台(１０)を跨いで下端部が上記縫代部(１０ａ、１０ａ)に縫付けられることにより両端面開口のチューブ状に形成され、かつジッパーファスナー(２３)により閉鎖可能な開口部(２２)を有する伸縮自在な収納袋形成体(２０)と、
上記巻付け台(１)の全周縁を挟むように覆うことで上記収納袋形成体(２０)の両端部を上記巻付け台(１)へ縫い付けることにより、上記収納袋形成体(２０)の両端開口を偏平状に閉塞させて収納袋体(２０Ａ)に形成する枠状バインダ材(３０)とを備え、
上記収納袋体(２０Ａ)が収納物(Ｐ)の収納で伸長可能に、収納物の取出しで上記収納袋体(２０Ａ)が元の形状に復元可能に設けたことを特徴とする携行用小物入れ。
【請求項２】
上記巻付け台(１)は、一対の布片(１ａ、１ａ)を、巻付け台１を横切る直線状の縫付ライン(２)で縫い合わせることにより形成され、この縫付ライン(２)を境に一方の巻付け台部分を上記バッグの帯状体(Ｂ)へ巻き付ける巻付け部(６ａ、６ｂ)に形成するとともに、他方の巻付け台部分を被縫付台部(５、５)に形成し、
上記保形台(１０)を上記縫付ライン(２)の上方に位置するように上記被縫付台部(５、５)上面に重合するとともに、上記保形台(１０)を跨ぐ上記収納袋形成体(２０)の下端部を上記被縫付台部(５、５)の下面に重合して、上記被縫付台(５、５)及び上記保形台(１０)の重合部と上記収納袋形成体(２０)の下端部とを一体に縫付けた、ことを特徴とする、請求項１記載の携行用小物入れ。
【請求項３】
上記両端面開口のチューブ状の収納袋形成体(２０)は両側面(２０ａ、２０ｂ)が内方へ断面く字状に屈曲されて、この軸線方向へ延びる屈曲線(２１)を折返し線として上下両側面部分が重合可能に設けたことを特徴とする、請求項１又は２記載の携行用小物入れ。
【発明の詳細な説明】
【技術分野】
【０００１】
本発明は、バッグの肩掛け用帯等に着脱自在で、携帯電話やライター等の小物を収納自在な携行用小物入れに関する。
【背景技術】
【０００２】
ショルダーバッグ等の肩掛け帯等に取り付けられた携帯品等の入れ物に関する技術として次のようなものが知られている。
第１は、携帯品等の下端を支承する底部と、携帯品等の中間部を包囲する包囲部と、携帯品等の上端を上方から覆う蓋部と、からなるケース状に形成され、底部と蓋部は面ファスナーで包囲部に係着・離間可能で、包囲部の側面にはファスナーで開閉可能な開口部が形成された係止部をザックの肩紐に設け、ザックを背負った状態で係止部から携帯品等を取り出すことができる、というものである(特許文献１)。第２は、身体に装着可能に形成したベルトに携帯電話収納用のポケットを固定したというものである(特許文献２)。第３は、面ファスナー等で肩掛け帯状体に収納袋を着脱自在に取り付けるというものである(特許文献３)。第４は、バッグのベルトに保持手段を取り付けることにより、例えば、２つの袋状のカバー部材を互いに対向して取り付けることにより、携帯電話を収容する空間を形成し、携帯電話の操作および通話は携帯電話を保持部材に収容したまま行うというものである(特許文献４)。第５は、手提げ袋に着脱自在なベルトを形成し、このベルトに基部を縫い付け、基部の両側に面ファスナー付きのカバーを縫い付けることによりホルダーを形成し、ホルダーで不使用時のベルトを折畳み保持するというものである(特許文献５)。第６は、身体に装着可能に形成したベルトに収納部を固定したというものである(特許文献６)。
【先行技術文献】
【特許文献】
【０００３】
【特許文献１】特開２０００−２７０９１５号公報
【特許文献２】特開２００１−１１２５３０号公報
【特許文献３】特開２００１−１２８７２４号公報
【特許文献４】特開２００２−２６２９１７号公報
【特許文献５】特開２００６−１６７４０２号公報
【特許文献６】特開２０１０−４６４１０号公報
【発明の概要】
【発明が解決しようとする課題】
【０００４】
しかしながら従来技術の第１は、携帯用機器が収納される係止部はザックの肩紐に固着されているため、他のバッグに利用することができず、また伸縮性もないためペットボトル等の携帯機器以外のその他の物を収納するのが困難である。
第２は、バッグのベルトではなく、身体装着専用に形成したベルトにポケットを固定したものであるから、ポケットをベルトから取外して種々のバッグに使用することができず、また伸縮性も有しない。
第３は、収納袋は伸縮性がないため、小物であっても比較的大きい物を収納する場合には収納袋自体を大きくせざるを得ず、外観等の観点からバッグに使用するには不適当である。
第４は、バッグのベルトに取り付けられる保持手段は携帯電話を保持するためだけのものであるから、携帯電話やその他の物(仮に、携帯電話以外の物が保持可能とした場合)を容易かつ迅速に取り出すことはできない。
第５は、ホルダーは不使用時のベルトを収納するためのもので、小物を収納するためのものではなく小物を下方から支持する手段を有しないため、携帯電話等の携帯機器を収納することはできず、また伸縮性もない。
第６は、バッグのベルトではなく、身体装着用に形成したベルトに収容部を固定したものであるから、収容部をベルトから取外して種々のバッグに使用することができない。
【０００５】
本発明の第１の目的は、バッグを持ち歩いている場合に、携帯電話等の小物を容易かつ迅速に取り出すことができる携行用小物入れを提供することである。
【０００６】
本発明の第２の目的は、収納時には延びて収納容積が大になるとともに、取出し後は元の形状に復元可能な携行用小物入れを提供することである。
【０００７】
本発明の第３の目的は、縫目の破断を防止可能な携行用小物入れを提供することである。
【０００８】
本発明の第４の目的は、縫目を隠蔽可能な携行用小物入れを提供することである。
【課題を解決するための手段】
【０００９】
第１の手段は、肩掛け又は手提げにより携行可能なバッグの肩掛け用又は手提げ用の帯状体の一部に、巻付けにより固定可能かつ巻き外しにより取外し可能な巻付け台と、
上記巻付け台の上面側に重合されて長手方向の両側端部を縫代部とする保形台と、
上記保形台を跨いで下端部が上記縫代部に縫付けられることにより両端面開口のチューブ状に形成され、かつジッパーファスナーにより閉鎖可能な開口部を有する伸縮自在な収納袋形成体と、
上記巻付け台の全周縁を挟むように覆うことで上記収納袋形成体の両端部を上記巻付け台へ縫い付けることにより、上記収納袋形成体の両端開口を偏平状に閉塞させて収納袋体に形成する枠状バインダ材とを備え、
上記収納袋体が収納物の収納で伸長可能に、収納物の取出しで上記収納袋体が元の形状に復元可能に設けたことを特徴とする。
【００１０】
本手段は、図４ないし図６に示すように、肩掛け又は手提げにより携行可能なバッグの肩掛け用又は手提げ用の帯状体に小物入れが設けられているから、バッグを下ろすことなく、そのままの状態で収納袋体を開けて収納物を取り出すことができる。また、収納袋形成体２０は伸縮自在であるから、収納容積を大にすることができるとともに、保形性が向上する。また、巻付け台１は巻付けにより固定可能かつ巻き外しにより取外し可能であるから、バッグの帯状体に対する着脱が容易である。さらに、巻付け台１の全周縁を挟むように覆う枠状バインダ材３０を備えているから、巻付け台に過度の引張力が作用することがない。またさらに収納袋形成体は袋状の収納袋体から形成されるため、収納物の形態を問わず収納可能である。
【００１１】
第２の手段は、第１の手段を有し、上記巻付け台は、一対の布片を、巻付け台を横切る直線状の縫付ラインで縫い合わせることにより形成され、この縫付ラインを境に一方の巻付け台部分を上記バッグの帯状体へ巻き付ける巻付け部に形成するとともに、他方の巻付け台部分を被縫付台部に形成し、
上記保形台を上記縫付ラインの上方に位置するように上記被縫付台部上面に重合するとともに、上記保形台を跨ぐ上記収納袋形成体の下端部を上記被縫付台部の下面に重合して、上記被縫付台部及び上記保形台の重合部と上記収納袋形成体の下端部とを一体に縫付けた、ことを特徴とする。
【００１２】
本手段は、図５に示すように、巻付け台１を一対の布片１ａ、１ａで形成することにより被被縫付台部５、５を形成したから、被縫付台部５、５に保形台１０と収納袋形成体２０を縫い付けることが可能であり、巻付け部６ａ、６ｂへ縫い付けないため巻付け部６ａ、６ｂの傷みが防止され、また保形台１０を有するとともに、保形台１０を縫付ライン２の上方に位置させたから、縫付ライン２の破断が防止されるとともに、縫付ライン２の隠蔽が可能となる。
【００１３】
第３の手段は、第１又第２手段を有し、上記両端面開口のチューブ状の収納袋形成体は両側面が内方へ断面く字状に屈曲されて、この軸線方向へ延びる屈曲線を折返し線として上下両側面部分が重合可能に設けたことを特徴とする。
【００１４】
本手段は、図４および図５に示すように、収納袋形成体２０は両側面２０ａ、２０ｂが内方へ断面く字状に屈曲されているから、収納時には屈曲部２１が伸び、取出し後は屈曲して元の形状に復元する。
【発明の効果】
【００１５】
第１の手段に係る発明によればバッグの肩掛け用等の帯状体に小物入れが設けられているから、使用頻度が高い収納物を随時に迅速かつ容易に取り出すことができる。また、収納袋形成体は伸縮自在であるから、収納容積の増大と保形性の向上が同時に図れる。さらに、枠状バインダ材を備えているから、巻付け台に過度の引張力が作用することがなく、したがって、縫付ラインの破断を防止することができる。さらにまた巻付け台１はバッグの帯状体に対して着脱可能であるから、取外して他のバッグ等に使用することができる。さらにまた収納袋体は袋状であるから、携帯電話やペットボトル等収納物の形態を問わず収納可能である。
第２の手段に係る発明によれば、被縫付台部が形成されているから、被縫付台部に保形台と収納袋形成体を縫い付けることが可能であり、したがって、巻付け部に直接保形台等を縫い付ける場合に比較して巻付け台の傷みが防止され、また保形台を縫付ラインの上方に保形台を位置させたから、縫付ラインの破断が防止されるとともに、縫付ラインの隠蔽が可能となる。
第３の手段に係る発明によれば、収納袋形成体は両側面が内方へ断面く字状に屈曲されているから、収納時における収納容積の増大および保形性をより向上させることができる。
【図面の簡単な説明】
【００１６】
【図１】本発明に係る携行用小物入れの上面図である。
【図２】図１の下面図である。
【図３】一対の布片からなる巻付け台と保形台を縫い付ける前の状態を示す上面図である。
【図４】図１の一部を示す斜視図である。
【図５】第２実施形態を示す図４相当図である。
【図６】第３実施形態を示す図４相当図である。
【図７】一対の布片の縫付け状態を示す説明図である。
【図８】巻付け台をバッグの帯状体に巻き付けた状態を示す上面図である。
【図９】作用説明図である。
【図１０】収納物が収納されていない状態の小物入れの全体を示す斜視図である。
【図１１】収納物が収納された状態の小物入れの全体を示す斜視図である。
【発明を実施するための形態】
【００１７】
以下、本発明の実施の形態について、図面を参照しながら詳細に説明する。
【００１８】
本発明に係る携行用小物入れは、巻付け台１、保形台１０、収納袋形成体２０および枠状バインダ材３０を主たる構成要素とする。
【００１９】
巻付け台１は、図３および図７にも示すように一対の同一矩形状の布片１ａ、１ａの裏面(下面)どうしを重合して、これら一対の布片１ａ、１ａを直線状の縫付ライン２で縫い合わせることにより形成する。縫付ライン２は布片１ａ、１ａの所定の一辺１ｂ、１ｂに対して平行に形成される。
【００２０】
縫付ライン２と布片１ａ、１ａの所定の一辺１ｂ、１ｂとの垂直距離Ｌ１は、図９に示すように後述する収納袋形成体の幅Ｗ１の半分の寸法よりやや小さくなっている。また、布片１ａ、１ａの所定の一辺１ｂ、１ｂと対向する側の辺１ｃ、１ｃと縫付ライン２との垂直距離Ｌ２は後述するバッグの肩掛け用等の帯状体の幅Ｗ２とほぼ等しくする。
【００２１】
すなわち図３に示すように縫付ライン２と布片１ａ、１ａの所定の一辺１ｂ、１ｂとの間の布片部分Ｐ１、Ｐ１は、後述の保形台１０と収納袋形成体２０とが縫付けられる一対の被縫付台部５、５を形成する。一方、布片１ａ、１ａの所定の一辺１ｂ、１ｂと対向する側の辺１ｃ、１ｃと縫付ライン２との間の布片部分Ｐ２、Ｐ２は、バッグの肩掛け用等の帯状体へ巻き付ける一対の巻付け部６ａ、６ｂを形成する。
【００２２】
巻付け部６ａ、６ｂをバッグの肩掛け用等の帯状体に巻き付けて固定するための手段としては、例えば、面ファスナー７を用いる。すなわち面ファスナー７を一方の巻付け部６ａの自由端側の裏面(下面)と、他方の巻付け部６ａの自由端側の表面(上面)とのそれぞれに縫付けて、巻付け時に一対の巻付け部６ａ、６ｂの自由端どうしを重合することで一対の面ファスナー７が互いに係合することにより巻付け状態が保持される。なお、巻付け部６ａ、６ｂの面ファスナー７を除く裏面には、例えば、ゴムやプラスチック等から形成される多数の突起からなる滑り止めを設けて、バッグの帯状体に対する固定を強固にするのが好ましい。
【００２３】
保形台１０は、一対の被縫付台部５、５上に重合される。保形台１０の左右両側端部は図３に示すように、被縫付台部５、５に縫い付けるための縫代部１０ａ、１０ａとする。保形台１０の被縫付台部５、５に対する縫付は後述の収納袋形成体２０と一体的に行う。保形台１０は一対の被縫付台部５、５上に重合されるから、これによって縫付ライン２が隠蔽されることになり、したがって、外部から縫付ライン２が見えることがない。なお、保形台１０は巻付け台１と同材質のものを用いることができる。
【００２４】
収納袋形成体２０は、保形台１０をトンネル状に跨いで左右の一対の下端部が被縫付台部５、５の下面に重合されることにより両端面開口のチューブ状に形成される。収納袋形成体２０の被縫付台部５、５に対する縫付は、上述のように保形台１０の被縫付台部５に対する縫付と一体的に行う。すなわち、被縫付台部５、５の上面に保形台１０を、被縫付台部５、５の下面に収納袋形成体２０を、それぞれ重合させた状態で保形台１０と収納袋形成体２０とを被縫付台部５、５に一体に縫付ける。このように収納袋形成体２０は長手方向全長にわたって保形台１０に縫い付けられているため、収納時、横揺れ等することがいない。なお、収納袋形成体２０の下端部は上側に折り返した折返し部１０ｄを設けるのが好ましい。
【００２５】
収納袋形成体２０は、その左右両側面２０ａ、２０ｂが内方へ断面く字状に屈曲されていて、この軸線方向へ延びる屈曲線２１を折返し線として上下両側面部分が重合可能になっている。また、収納袋形成体２０の頂部には軸線方向へ延びる開口部２２が形成されており、この開口部２２はジッパーファスナー２３により閉鎖されるようになっている。なお、収納袋形成体２０は収納時に収納容積ができるだけ大きくなるように伸縮自在な材質で形成されている。
【００２６】
枠状バインダ材３０は、巻付け台１の全周縁を挟んで覆うように縫付けられている。枠状バインダ材３０は巻付け台１の周縁とともに収納袋形成体２０の両端部を挟むように巻付け台１に縫付けられており、この枠状バインダ材３０の縫付により収納袋形成体２０はその両端開口が偏平状に閉塞されることで収納袋体２０Ａに形成される。枠状バインダ材３０には巻付け台１の材質より伸縮度の小さい材質が用いられる。すなわち巻付け台１は過度の引張力を受けると、縫付ライン２が破断するおそれがあることから、枠状バインダ材３０に過度の張力が巻付け台１に作用しないようにする役割を果たさせるためである。なお、４０はブランドネーム等が表示された布製のネーム板で、ジッパーファスナー２３の一端近傍の枠状バインダ材３０部分にこれを挟むように縫い付けられており、枠状バインダ材３０の継目３０ａはネーム板で隠蔽されるようになっている。
【００２７】
次に作用について説明する。
使用するには、図８に示すように巻付け台１の一対の巻付け部６ａ、６ｂをバッグの帯状体Ｂに巻き付けて一対の面ファスナー７を重合させることにより、巻付け台１を帯状体Ｂに固定する。収納袋形成体２０(収納袋体２０Ａ)内に携帯電話等の収納物Ｐを収納するには、ジッパーファスナー２３を開いて開口部２２から収納袋形成体２０(収納袋体２０Ａ)内に入れればよい。収納袋形成体２０(収納袋体２０Ａ)に物を入れると、チューブ状で偏平状に折り畳まれた収納袋形成体２０(収納袋体２０Ａ)はその両側面２０ａ、２０ｂに形成された折返し部が延びて容積が増大する。その際、収納袋形成体２０(収納袋体２０Ａ)は巻付け台１の被縫付台部５、５に縫付けられているから、巻付け台１の縫付ライン２に引張力が作用するが、収納袋形成体２０(収納袋体２０Ａ)は保形台１０にも縫付けられているため、保形台１０の強度が大であれば、例えば、保形台１０が硬質の弾性プラスチック板等から形成されている場合には、縫付ライン２には殆ど引張力が作用せず、したがって、縫付ライン２が破断することもない。なお、収納物としては携帯電話等の外比較的小さいペットボトル等も収納可能である。
【００２８】
図５は第２実施形態を示す。第１実施形態では、収納容積の増大および原形への忠実な復元を図るための保形性の向上の観点から収納袋形成体２０は、その左右両側面２０ａ、２０ｂが内方へ断面く字状に屈曲されて、屈曲線２１を折返し線として上下両側面部分が重合可能になっているが、必ずしも収納袋形成体２０の両側面２０ａ、２０ｂは折返し可能であることを要しない。すなわち、収納袋形成体２０の両側面２０ａ、２０ｂを内方へ屈曲することなく単なるトンネル状に形成してもよい。収納袋形成体２０の伸縮性が十分であれば、収納容積の増大および保形性の維持は可能だからである。その他の構成は第１実施形態と同一であるから説明を省略する。
【００２９】
図６は第３実施形態を示す。第１および第２実施形態では巻付け台１は、一対の布片１ａ、１ａを縫い合わせることにより形成されているが、これに限定されるものではなく、一枚の布片のみで巻付け台１を形成してもよい。この場合には巻付け台１には保形台１０と収納袋形成体２０とが縫付けられる一対の被縫付台部５、５は形成されず、巻付け部６ａ、６ｂのみで構成される。保形台１０と収納袋形成体２０の巻付け台１への巻き付けは次のようにする。まず保形台１０を巻付け台１上に重合し、保形台１０の左右両側端の縫代部下面に収納袋形成体２０の下端部を重合し、これら保形台１０および収納袋形成体２０を一体的に巻付け台１に縫い付ける。本実施形態では一対の布片１ａ、１ａを縫い合わせる工程が省略される点および一対の布片１ａ、１ａの縫付ライン２が表れない点に利点かある。その他の構成は第１実施形態と同一であるから説明を省略する。
【００３０】
本発明は、バッグの肩掛け用帯等に着脱自在で、携帯電話やライター等の小物を収納自在な携行用小物入れの分野に利用することができる。
【符号の説明】
【００３１】
１  巻付け台、              １ａ、１ａ  布片、              ２  縫付ライン
５、５  被縫付台部、        ６ａ、６ｂ  巻付け部、          ２０  収納袋形成体
２０ａ、２０ｂ  収納袋形成体の左右両側面、                  ２１  屈曲線
２２  開口部、              ２３  ジッパーファスナー、      ３０  枠状バインダ材
【図１】
2013090749.tif 000003
【図２】
2013090749.tif 000004
【図３】
2013090749.tif 000005
【図４】
2013090749.tif 000006
【図５】
2013090749.tif 000007
【図６】
2013090749.tif 000008
【図７】
2013090749.tif 000009
【図８】
2013090749.tif 000010
【図９】
2013090749.tif 000011
【図１０】
2013090749.tif 000012
【図１１】
2013090749.tif 000013